(57)【要約】  本開示のいくつかの態様は、ライセンスワイヤレスまたは有線のバックホールリンク、およびアンライセンスアクセスリンクを有するロングタームエボリューション（ＬＴＥ）ユーザ機器（ＵＥ）リレーなどの中継用デバイスを使用するための方法および装置を提供する。１つの方法は、一般に、中継用デバイスを備える第１のデバイスにおいて、ライセンススペクトル中の第１のキャリア周波数を介して第１の装置からデータを受信することと、アンライセンススペクトル中の第２のキャリア周波数を介して第２の装置にデータを中継することとを含む。このようにして、中継用のデバイスを有するワイヤレス通信システムは、アンライセンスアクセスリンクにおいてスペクトル効率をより十分に達成することができる。
2015508605.tif 000002
【特許請求の範囲】
【請求項１】
ワイヤレス通信のための方法であって、
中継用デバイスを備える第１のデバイスにおいて、ライセンススペクトル中の第１のキャリア周波数を介して第１の装置からデータを受信することと、
前記第１のデバイスおよび第２のデバイスを同期させることと、
前記同期に基づいて、アンライセンススペクトル中の第２のキャリア周波数を介して第２の装置に前記データを中継することと
を備える、方法。
【請求項２】
前記第１のデバイスは、リレーとして機能するユーザ機器（ＵＥ）を備える、請求項１に記載の方法。
【請求項３】
前記第１のデバイスにおいて、前記アンライセンススペクトル中の前記第２のキャリア周波数を介して前記第２の装置から他のデータを受信することと、
前記ライセンススペクトル中の前記第１のキャリア周波数を介して前記第１の装置に前記他のデータを中継することと
をさらに備える、請求項１に記載の方法。
【請求項４】
前記第１および第２のデバイスが同じオペレータに関連し、前記同期は、前記第１および第２のデバイスが前記第１の装置に同期されるように、前記第１の装置からタイミングを引き出すことを備える、請求項１に記載の方法。
【請求項５】
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させることと
を備える、請求項１に記載の方法。
【請求項６】
前記第１および第２のデバイスは、アクセスポイント（ＡＰ）として機能し、各々がルータと接続される、請求項１に記載の方法。
【請求項７】
前記中継は、前記第２のデバイスと協調される、請求項１に記載の方法。
【請求項８】
前記第１のデバイスと前記第２のデバイスとの間の前記協調は、協調ビームフォーミングまたは空間多重化のうちの少なくとも１つを備える、請求項７に記載の方法。
【請求項９】
前記中継のための複信モードについて前記第２の装置とネゴシエートすることをさらに備える方法であって、前記中継は、前記ネゴシエートされた複信モードを使用することを備える、請求項１に記載の方法。
【請求項１０】
前記ネゴシエートされた複信モードは、周波数分割複信（ＦＤＤ）を備える、請求項９に記載の方法。
【請求項１１】
前記ネゴシエートは、前記アンライセンススペクトルにおいて利用可能ないくつかのチャネルのうちの少なくとも１つ、または前記第１および第２の装置とは異なる装置の存在を考慮することを備える、請求項９に記載の方法。
【請求項１２】
前記第１のデバイスの干渉管理は、前記第１の装置によって協調される、請求項１に記載の方法。
【請求項１３】
前記干渉管理は、前記第２のデバイスまたは別のデバイスのうちの少なくとも１つへの干渉を回避するために前記第１の装置からリソース区分情報を受信することを備える、請求項１２に記載の方法。
【請求項１４】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定することをさらに備える、請求項１に記載の方法。
【請求項１５】
中継用デバイスである、ワイヤレス通信用の第１のデバイスであって、
ライセンススペクトル中の第１のキャリア周波数を介して第１の装置からデータを受信するように構成された受信機と、
前記第１のデバイスおよび第２のデバイスを同期させるように構成された処理システムと、
前記同期に基づいて、アンライセンススペクトル中の第２のキャリア周波数を介して第２の装置に前記データを中継するように構成された送信機と
を備える、第１のデバイス。
【請求項１６】
前記第１のデバイスは、リレーとして機能するユーザ機器（ＵＥ）を備える、請求項１５に記載の第１のデバイス。
【請求項１７】
前記受信機は、前記アンライセンススペクトル中の前記第２のキャリア周波数を介して前記第２の装置から他のデータを受信するように構成され、前記送信機は、前記ライセンススペクトル中の前記第１のキャリア周波数を介して前記第１の装置に前記他のデータを中継するように構成される、請求項１５に記載の第１のデバイス。
【請求項１８】
前記第１および第２のデバイスが同じオペレータに関連し、前記処理システムは、前記第１および第２のデバイスが前記第１の装置に同期されるように、前記第１の装置からタイミングを引き出すことによって前記第１および第２のデバイスを同期させるように構成される、請求項１５に記載の第１のデバイス。
【請求項１９】
前記第１のデバイスは第１のオペレータに関連し、前記第２のデバイスは、前記第１のオペレータとは異なる第２のオペレータに関連し、前記処理システムは、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させること
によって前記第１および第２のデバイスを同期させるように構成される、請求項１５に記載の第１のデバイス。
【請求項２０】
前記第１および第２のデバイスは、アクセスポイント（ＡＰ）として機能し、各々がルータと接続される、請求項１５に記載の第１のデバイス。
【請求項２１】
前記送信機は、前記第２のデバイスと協調して前記第２の装置に前記データを中継するように構成される、請求項１５に記載の第１のデバイス。
【請求項２２】
前記第１のデバイスと前記第２のデバイスとの間の前記協調は、前記第２の装置に対する協調ビームフォーミングまたは空間多重化のうちの少なくとも１つを備える、請求項２１に記載の第１のデバイス。
【請求項２３】
前記処理システムは、前記中継のための複信モードについて前記第２の装置とネゴシエートするようにさらに構成され、前記送信機は、前記ネゴシエートされた複信モードを使用して前記データを中継するように構成される、請求項１５に記載の第１のデバイス。
【請求項２４】
前記ネゴシエートされた複信モードは、周波数分割複信（ＦＤＤ）を備える、請求項２３に記載の第１のデバイス。
【請求項２５】
前記処理システムは、前記アンライセンススペクトルにおいて利用可能ないくつかのチャネルのうちの少なくとも１つ、または前記第１および第２の装置とは異なる装置の存在を考慮することによってネゴシエートするように構成される、請求項２３に記載の第１のデバイス。
【請求項２６】
前記第１のデバイスの干渉管理は、前記第１の装置によって協調される、請求項１５に記載の第１のデバイス。
【請求項２７】
前記受信機は、前記干渉管理のために、前記第２のデバイスまたは別のデバイスのうちの少なくとも１つへの干渉を回避するために前記第１の装置からリソース区分情報を受信するようにさらに構成される、請求項２６に記載の第１のデバイス。
【請求項２８】
前記処理システムは、前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するようにさらに構成される、請求項１５に記載の第１のデバイス。
【請求項２９】
中継用デバイスである、ワイヤレス通信用の第１のデバイスであって、
ライセンススペクトル中の第１のキャリア周波数を介して第１の装置からデータを受信するための手段と、
前記第１のデバイスおよび第２のデバイスを同期させるための手段と、
前記同期に基づいて、アンライセンススペクトル中の第２のキャリア周波数を介して第２の装置に前記データを中継するための手段と
を備える、第１のデバイス。
【請求項３０】
前記第１のデバイスは、リレーとして機能するユーザ機器（ＵＥ）を備える、請求項２９に記載の第１のデバイス。
【請求項３１】
前記受信するための手段は、前記アンライセンススペクトル中の前記第２のキャリア周波数を介して前記第２の装置から他のデータを受信するように構成され、前記中継するための手段は、前記ライセンススペクトル中の前記第１のキャリア周波数を介して前記第１の装置に前記他のデータを中継するように構成される、請求項２９に記載の第１のデバイス。
【請求項３２】
前記第１および第２のデバイスが同じオペレータに関連し、前記同期させるための手段は、前記第１および第２のデバイスが前記第１の装置に同期されるように、前記第１の装置からタイミングを引き出すように構成される、請求項２９に記載の第１のデバイス。
【請求項３３】
前記第１のデバイスは第１のオペレータに関連し、前記第２のデバイスは、前記第１のオペレータとは異なる第２のオペレータに関連し、前記同期させるための手段は、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させる
ように構成される、請求項２９に記載の第１のデバイス。
【請求項３４】
前記第１および第２のデバイスは、アクセスポイント（ＡＰ）として機能し、各々がルータと接続される、請求項２９に記載の第１のデバイス。
【請求項３５】
前記中継するための手段は、前記第２のデバイスと協調して前記第２の装置に前記データを中継するように構成される、請求項２９に記載の第１のデバイス。
【請求項３６】
前記第１のデバイスと前記第２のデバイスとの間の前記協調は、前記第２の装置に対する協調ビームフォーミングまたは空間多重化のうちの少なくとも１つを備える、請求項３５に記載の第１のデバイス。
【請求項３７】
前記中継のための複信モードについて前記第２の装置とネゴシエートするための手段をさらに備える第１のデバイスであって、前記中継するための手段は、前記ネゴシエートされた複信モードを使用するように構成される、請求項２９に記載の第１のデバイス。
【請求項３８】
前記ネゴシエートされた複信モードは、周波数分割複信（ＦＤＤ）を備える、請求項３７に記載の第１のデバイス。
【請求項３９】
前記ネゴシエートするための手段は、前記アンライセンススペクトルにおいて利用可能ないくつかのチャネルのうちの少なくとも１つ、または前記第１および第２の装置とは異なる装置の存在を考慮するように構成される、請求項３７に記載の第１のデバイス。
【請求項４０】
前記第１のデバイスの干渉管理は、前記第１の装置によって協調される、請求項29に記載の第１のデバイス。
【請求項４１】
前記受信するための手段は、前記干渉管理のために、前記第２のデバイスまたは別のデバイスのうちの少なくとも１つへの干渉を回避するために前記第１の装置からリソース区分情報を受信するようにさらに構成される、請求項４０に記載の第１のデバイス。
【請求項４２】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するための手段をさらに備える、請求項２９に記載の第１のデバイス。
【請求項４３】
ワイヤレス通信のためのコンピュータプログラム製品であって、
中継用デバイスを備える第１のデバイスにおいて、ライセンススペクトル中の第１のキャリア周波数を介して第１の装置からデータを受信し、
前記第１のデバイスおよび第２のデバイスを同期させ、
前記同期に基づいて、アンライセンススペクトル中の第２のキャリア周波数を介して第２の装置に前記データを中継する
ためのコードを備えるコンピュータ可読媒体
を備える、コンピュータプログラム製品。
【請求項４４】
前記第１のデバイスは、リレーとして機能するユーザ機器（ＵＥ）を備える、請求項４３に記載のコンピュータプログラム製品。
【請求項４５】
前記第１のデバイスにおいて、前記アンライセンススペクトル中の前記第２のキャリア周波数を介して前記第２の装置から他のデータを受信し、
前記ライセンススペクトル中の前記第１のキャリア周波数を介して前記第１の装置に前記データを中継する
ためのコードをさらに備える、請求項４３に記載のコンピュータプログラム製品。
【請求項４６】
前記第１および第２のデバイスが同じオペレータに関連し、前記同期は、前記第１および第２のデバイスが前記第１の装置に同期されるように、前記第１の装置からタイミングを引き出すことを備える、請求項４３に記載のコンピュータプログラム製品。
【請求項４７】
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させること
を備える、請求項４３に記載のコンピュータプログラム製品。
【請求項４８】
前記第１および第２のデバイスは、アクセスポイント（ＡＰ）として機能し、各々がルータと接続される、請求項４３に記載のコンピュータプログラム製品。
【請求項４９】
前記中継は、前記第２のデバイスと協調される、請求項４３に記載のコンピュータプログラム製品。
【請求項５０】
前記第１のデバイスと前記第２のデバイスとの間の前記協調は、協調ビームフォーミングまたは空間多重化のうちの少なくとも１つを備える、請求項４９に記載のコンピュータプログラム製品。
【請求項５１】
前記中継のための複信モードについて前記第２の装置とネゴシエートするためのコードをさらに備えるコンピュータプログラム製品であって、前記中継は、前記ネゴシエートされた複信モードを使用することを備える、請求項４３に記載のコンピュータプログラム製品。
【請求項５２】
前記ネゴシエートされた複信モードは、周波数分割複信（ＦＤＤ）を備える、請求項５１に記載のコンピュータプログラム製品。
【請求項５３】
前記ネゴシエートは、前記アンライセンススペクトルにおいて利用可能ないくつかのチャネルのうちの少なくとも１つ、または前記第１および第２の装置とは異なる装置の存在を考慮することを備える、請求項５１に記載のコンピュータプログラム製品。
【請求項５４】
前記第１のデバイスの干渉管理は、前記第１の装置によって協調される、請求項４３に記載のコンピュータプログラム製品。
【請求項５５】
前記干渉管理のために、前記第２のデバイスまたは別のデバイスのうちの少なくとも１つへの干渉を回避するために前記第１の装置からリソース区分情報を受信するためのコードをさらに備える、請求項５４に記載のコンピュータプログラム製品。
【請求項５６】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するためのコードをさらに備える、請求項４３に記載のコンピュータプログラム製品。
【発明の詳細な説明】
【技術分野】
【０００１】
関連出願の相互参照
[0001]  本出願は、その全体が参照により本明細書に明確に組み込まれる、２０１２年１月６日に出願された米国仮出願第６１／５８４，０１４号の優先権の利益を主張する。
【０００２】
[0002]  本開示のいくつかの態様は、一般にはワイヤレス通信に関し、より詳細には、ライセンス（licensed）ワイヤレスまたは有線のバックホールリンク（backhaul link）、およびアンライセンスアクセスリンク（unlicensed access link）を有するロングタームエボリューション（ＬＴＥ）ユーザ機器（ＵＥ：user equipment）リレー（relays）を使用することに関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソース（たとえば、帯域幅および送信電力）を共有することによって複数のユーザをサポートすることが可能な多元接続ネットワークとすることができる。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ-ＦＤＭＡ）ネットワーク、第３世代パートナーシッププロジェクト（３ＧＰＰ）ロングタームエボリューション（ＬＴＥ）ネットワーク、およびロングタームエボリューションアドバンスト（ＬＴＥ-Ａ）ネットワークがある。
【０００４】
[0004]  ワイヤレス通信ネットワークは、いくつかのユーザ機器デバイス（ＵＥ）との通信をサポートすることができるいくつかの基地局を含むことができる。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。基地局は、ＵＥにダウンリンク上でデータおよび制御情報を送信し得、および／またはＵＥからアップリンク上でデータおよび制御情報を受信し得る。この通信リンクは、単入力単出力、多入力単出力または多入力多出力（ＭＩＭＯ）システムを介して確立され得る。
【０００５】
[0005]  ワイヤレス通信システムは、中継基地局などの中継ノード（relay node）を介してワイヤレス端末と通信するドナー基地局（donor base station）を備えることができる。中継ノードは、バックホールリンク（backhaul link）を介してドナー基地局と通信し、アクセスリンクを介して端末と通信することができる。言い換えれば、中継ノードは、バックホールリンクを介してドナー基地局からダウンリンクメッセージを受信し、アクセスリンクを介してこれらのメッセージを端末に中継することができる。同様に、中継ノードは、アクセスリンクを介して端末からアップリンクメッセージを受信し、バックホールリンクを介してこれらのメッセージをドナー基地局に中継することができる。中継ノードは、したがって、カバレージエリアを補完して、「カバレージホール（coverage holes）」を満たすのを助けるために使用され得る。
【発明の概要】
【０００６】
[0006]  本開示のいくつかの態様は、一般に、ライセンスワイヤレスまたは有線のバックホールリンク、およびアンライセンスアクセスリンクを有するロングタームエボリューション（ＬＴＥ：Long Term Evolution）ユーザ機器（ＵＥ：user equipment）リレーを利用するための様々なシステム検討に関する。アンライセンススペクトル（unlicensed spectrum）中のＬＴＥ動作は、異なるオペレータに関連するＷｉＦｉおよび他のＬＴＥデバイスを含む、同じスペクトル中で動作する非協調のデバイスからの干渉を回避するか、または少なくとも低減するように設計された一連の技法を含むことができる。
【０００７】
[0007]  本開示の一態様では、ワイヤレス通信のための方法が提供される。本方法は、一般に、中継用デバイスを備える第１のデバイスにおいて、ライセンススペクトル（licensed spectrum）中の第１のキャリア周波数を介して第１の装置からデータを受信することと、アンライセンススペクトル中の第２のキャリア周波数を介して第２の装置にデータを中継することとを含む。いくつかの態様では、第１のデバイスおよび第２のデバイスは、同期される可能性があり、データは、同期（synchronization）に基づいて中継され得る。
【０００８】
[0008]  本開示の一態様では、ワイヤレス通信のための第１のデバイスが提供され、第１のデバイスは、中継用デバイスを備える。第１のデバイスは、一般に、ライセンススペクトル中の第１のキャリア周波数を介して第１の装置からデータを受信するように構成された受信機と、アンライセンススペクトル中の第２のキャリア周波数を介して第２の装置にデータを中継するように構成された送信機とを含む。いくつかの態様では、第１のデバイスは、第１のデバイスおよび第２のデバイスを同期させるように構成された処理システムをさらに含み、送信機は、同期に基づいてデータを中継するように構成される。
【０００９】
[0009]  本開示の一態様では、ワイヤレス通信のための第１のデバイスが提供され、第１のデバイスは、中継用デバイスを備える。第１のデバイスは、一般に、ライセンススペクトル中の第１のキャリア周波数を介して第１の装置からデータを受信するための手段と、アンライセンススペクトル中の第２のキャリア周波数を介して第２の装置にデータを中継するための手段とを含む。いくつかの態様では、第１のデバイスは、第１のデバイスおよび第２のデバイスを同期させるための手段をさらに含み、中継するための手段は、同期に基づいてデータを中継するように構成される。
【００１０】
[0010]  本開示の一態様では、ワイヤレス通信のためのコンピュータプログラム製品が提供される。本コンピュータプログラム製品は、一般に、中継用デバイスを備える第１のデバイスにおいて、ライセンススペクトル中の第１のキャリア周波数を介して第１の装置からデータを受信し、アンライセンススペクトル中の第２のキャリア周波数を介して第２の装置にデータを中継するためのコードを有するコンピュータ可読媒体を含む。いくつかの態様では、本コンピュータ可読媒体は、第１のデバイスおよび第２のデバイスを同期させるためのコードを有し、データは、同期に基づいて中継され得る。
【００１１】
[0011]  本開示の特徴、性質、および利点は、全体を通じて同様の参照符号が同様のものを指す図面とともに、以下に記載する詳細な説明を読めばより明らかになろう。
【図面の簡単な説明】
【００１２】
【図１】[0012]  本開示の一態様による、例示的なワイヤレス通信システムを示す図。
【図２】[0013]  本開示の一態様による、ワイヤレス通信システム中のユーザ機器デバイス（ＵＥ）と通信しているノードＢの一例を概念的に示すブロック図。
【図３】[0014]  本開示の一態様による、中継ＵＥを含む例示的なワイヤレス通信システムを示す図。
【図４】[0015]  本開示の一態様による、ワイヤレス通信用の周波数スペクトル中の例示的なアンライセンスおよびライセンス周波数帯域を示す図。
【図５】[0016]  本開示の一態様による、中継ＵＥを含む例示的なシステムのシナリオ、すなわち、ライセンスワイヤレスか、または有線のいずれかのバックホールリンクおよびアンライセンスアクセスリンクからなるシナリオのテーブル。
【図６】[0017]  本開示の一態様による、ワイヤレスバックホールリンク、単一のオペレータ、基地局を介した同期、およびアンライセンスアクセスリンクを有する、中継ＵＥを含む例示的なシステムのシナリオを示す図。
【図７】[0018]  本開示の一態様による、ライセンスワイヤレスバックホールリンク、異なるオペレータ、センシングを介した同期、およびアンライセンスアクセスリンクを有する、中継ＵＥを含む例示的なシステムのシナリオを示す図。
【図８】[0019]  本開示の一態様による、ライセンスワイヤレスバックホールリンク、共有のオペレータと異なるオペレータの両方、基地局とセンシングの両方を介した同期、およびアンライセンスアクセスリンクを有する、中継ＵＥを含む例示的なシステムのシナリオを示す図。
【図９】[0020]  本開示の一態様による、ライセンス有線バックホールリンク（licensed wired backhaul link）、単一のオペレータ、基地局を介した同期、およびアンライセンスアクセスリンクを有する、中継ＵＥを含む例示的なシステムのシナリオを示す図。
【図１０】[0021]  本開示の一態様による、ライセンス有線バックホールリンク、異なるオペレータ、センシングを介した同期、およびアンライセンスアクセスリンクを有する、中継ＵＥを含む例示的なシステムのシナリオを示す図。
【図１１】[0022]  本開示の一態様による、たとえば、中継デバイスから見た、データを中継するための例示的な動作のフロー図。
【発明を実施するための形態】
【００１３】
[0023]  本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、ユニバーサル地上無線アクセス（ＵＴＲＡ：Universal Terrestrial Radio Access）、ｃｄｍａ２０００などの無線技術を実装することができる。ＵＴＲＡは、広帯域ＣＤＭＡ（Ｗ−ＣＤＭＡ）と低チップレート（ＬＣＲ）とを含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができ得る。ＵＴＲＡ、Ｅ−ＵＴＲＡ、およびＧＳＭは、ユニバーサルモバイル通信システム（ＵＭＴＳ）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の組織の文書に記載されている。ｃｄｍａ２０００は、「第３世代パートナーシッププロジェクト２」（３ＧＰＰ２）という名称の組織の文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００１４】
[0024]  シングルキャリア変調と周波数領域等化とを利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、その固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、かなりの注目を集めている。ＳＣ−ＦＤＭＡは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００１５】
例示的なワイヤレス通信システム
[0025]  図１を参照すると、一実施形態による多元接続ワイヤレス通信システムが示されている。アクセスポイント１００（ＡＰ）は、複数のアンテナグループ、すなわち、アンテナ１０４およびアンテナ１０６を含むあるアンテナグループと、アンテナ１０８およびアンテナ１１０を含む別のアンテナグループと、アンテナ１１２およびアンテナ１１４を含むさらに別のアンテナグループとを含む。図１では、アンテナグループごとに２つのアンテナのみが示されているが、アンテナグループごとに、より多いまたはより少ないアンテナが利用され得る。アクセス端末１１６（ＡＴ）はアンテナ１１２および１１４と通信中であり、アンテナ１１２および１１４は、順方向リンク１２０を介してアクセス端末１１６に情報を送信し、逆方向リンク１１８を介してアクセス端末１１６から情報を受信する。アクセス端末１２２はアンテナ１０６および１０８と通信中であり、アンテナ１０６および１０８は、順方向リンク１２６を介してアクセス端末１２２に情報を送信し、逆方向リンク１２４を介してアクセス端末１２２から情報を受信する。ＦＤＤシステムでは、通信リンク１１８、１２０、１２４および１２６は、通信のために異なる周波数を使用することができる。たとえば、順方向リンク１２０は、逆方向リンク１１８によって使用される周波数とは異なる周波数を使用し得る。
【００１６】
[0026]  アンテナの各グループ、および／またはアンテナが通信するように設計されたエリアは、しばしば、アクセスポイントのセクタと呼ばれる。本実施形態では、アンテナグループは各々、アクセスポイント１００によってカバーされるエリアのセクタ中でアクセス端末に通信するように設計される。
【００１７】
[0027]  順方向リンク１２０および１２６を介した通信では、アクセスポイント１００の送信アンテナは、異なるアクセス端末１１６および１２２に対する順方向リンクの信号対雑音比（ＳＮＲ）を改善するためにビームフォーミングを利用する。また、ビームフォーミングを使用してアクセスポイントが、そのカバレージ全体にランダムに分散されたアクセス端末に送信するほうが、アクセスポイントが単一のアンテナを介してそのすべてのアクセス端末に送信するよりも、近隣セル中のアクセス端末への干渉が小さくなる。
【００１８】
[0028]  アクセスポイント（ＡＰ）は、端末と通信するのに使用される固定局である可能性があり、基地局（ＢＳ）、ノードＢ、またはいくつかの他の用語で呼ばれる場合もある。アクセス端末は、移動局（ＭＳ）、ユーザ機器（ＵＥ）、ワイヤレス通信デバイス、端末、ユーザ端末（ＵＴ）、またはいくつかの他の用語で呼ばれる場合もある。
【００１９】
[0029]  図２は、ＭＩＭＯシステム２００における送信機システム２１０（アクセスポイントとしても知られる）および受信機システム２５０（アクセス端末としても知られる）の実施形態のブロック図である。送信機システム２１０において、いくつかのデータストリームのトラフィックデータがデータソース２１２から送信（ＴＸ）データプロセッサ２１４に供給される。
【００２０】
[0030]  一態様では、各データストリームは、それぞれの送信アンテナを介して送信される。ＴＸデータプロセッサ２１４は、コード化データを与えるために、そのデータストリーム用に選択された特定のコーディング方式に基づいて、各データストリームのトラフィックデータをフォーマットし、コーディングし、インターリーブする。
【００２１】
[0031]  各データストリームのコード化データは、ＯＦＤＭ技法を使用してパイロットデータと多重化され得る。パイロットデータは、典型的には、既知の方法で処理され、チャネル応答を推定するために受信機システムにおいて使用され得る、既知のデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コード化、および変調は、プロセッサ２３０によって実行される命令によって決定され得る。
【００２２】
[0032]  次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭ用に）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに与える。いくつかの実施形態では、ＴＸ  ＭＩＭＯプロセッサ２２０は、データストリームのシンボルと、シンボルが送信されているアンテナとにビームフォーミング重みを適用する。
【００２３】
[0033]  各送信機２２２は、１つまたは複数のアナログ信号を与えるために、それぞれのシンボルストリームを受信および処理し、さらに、ＭＩＭＯチャネルを介して送信するのに適した変調信号を与えるために、それらのアナログ信号を調整（たとえば、増幅、フィルタ処理、およびアップコンバート）する。次いで、送信機２２２ａ〜２２２ｔからのＮT個の変調信号は、それぞれＮT個のアンテナ２２４ａ〜２２４ｔから送信される。
【００２４】
[0034]  受信機システム２５０において、送信された被変調信号はＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、サンプルを与えるために調整された信号をデジタル化し、さらに、対応する「受信」シンボルストリームを与えるために、それらのサンプルを処理する。
【００２５】
[0035]  次いで、ＲＸデータプロセッサ２６０は、ＮR個の受信機２５４からＮR個の受信シンボルストリームを受信し、ＮT個の「検出」シンボルストリームを与えるために、特定の受信機処理技法に基づいてそれらの受信シンボルストリームを処理する。次いで、ＲＸデータプロセッサ２６０は、データストリームのトラフィックデータを復元するために、各検出シンボルストリームを復調し、デインターリーブし、復号する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００２６】
[0036]  プロセッサ２７０は、どのプリコーディング行列を使用すべきかを定期的に判断する。プロセッサ２７０は、行列インデックス部分とランク値部分とを備える逆方向リンクメッセージを構築する。
【００２７】
[0037]  逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００２８】
[0038]  送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。次いで、プロセッサ２３０は、ビームフォーミング重みを決定するためにどのプリコーディング行列を使用すべきかを決定し、次いで、抽出されたメッセージを処理する。
【００２９】
[0039]  一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルである。概して、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、ＲＲＣ接続を有するＵＥによって使用される専用制御情報を送信するポイントツーポイント双方向チャネルである。一態様では、論理トラフィックチャネルは、ユーザ情報を転送するための１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００３０】
[0040]  一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用され得るＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルとのセットを備える。
【００３１】
[0041]  ＤＬ  ＰＨＹチャネルは以下を備える。
【００３２】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
[0042]  ＵＬ  ＰＨＹチャネルは以下を備える。
【００３３】
物理ランダムアクセスチャネル（ＰＲＡＣＨ）
チャネル品質インジケータチャネル（ＣＱＩＣＨ）
確認応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
[0043]  一態様では、シングルキャリア波形の（所与の時間に、チャネルが周波数において連続するまたは一様に離間される）ＰＡＲ特性を低いまま保つチャネル構造を提供する。
【００３４】
[0044]  本文書では、以下の略語が適用される。
【００３５】
ＡＭ  確認応答モード
ＡＭＤ  確認応答モードデータ
ＡＲＱ  自動再送要求
ＢＣＣＨ  ブロードキャスト制御チャネル
ＢＣＨ  ブロードキャストチャネル
Ｃ−  制御
ＣＣＣＨ  共通制御チャネル
ＣＣＨ  制御チャネル
ＣＣＴｒＣＨ  コード化複合トランスポートチャネル
ＣＰ  サイクリックプレフィックス
ＣＲＣ  巡回冗長検査
ＣＴＣＨ  共通トラフィックチャネル
ＤＣＣＨ  専用制御チャネル
ＤＣＨ  専用チャネル
ＤＬ  ダウンリンク
ＤＳＣＨ  ダウンリンク共有チャネル
ＤＴＣＨ  専用トラフィックチャネル
ＦＡＣＨ  順方向リンクアクセスチャネル
ＦＤＤ  周波数分割複信
Ｌ１  レイヤ１（物理層）
Ｌ２  レイヤ２（データリンク層）
Ｌ３  レイヤ３（ネットワーク層）
ＬＩ  長さインジケータ
ＬＳＢ  最下位ビット
ＭＡＣ  媒体アクセス制御
ＭＢＭＳ  マルチメディアブロードキャストマルチキャストサービス
ＭＣＣＨ  ＭＢＭＳポイントツーマルチポイント制御チャネル
ＭＲＷ  移動受信ウィンドウ（Move Receiving Window）
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＰＣＣＨ  ページング制御チャネル
ＰＣＨ  ページングチャネル
ＰＤＵ  プロトコルデータユニット
ＰＨＹ  物理層
ＰｈｙＣＨ  物理チャネル
ＲＡＣＨ  ランダムアクセスチャネル
ＲＢ  リソースブロック
ＲＬＣ  無線リンク制御
ＲＲＣ  無線リソース制御
ＳＡＰ  サービスアクセスポイント
ＳＤＵ  サービスデータユニット
ＳＨＣＣＨ  共有チャネル制御チャネル
ＳＮ  シーケンス番号
ＳＵＦＩ  スーパーフィールド
ＴＣＨ  トラフィックチャネル
ＴＤＤ  時分割複信
ＴＦＩ  トランスポートフォーマットインジケータ
ＴＭ  透過型モード
ＴＭＤ  透過型モードデータ
ＴＴＩ  送信時間間隔
Ｕ−  ユーザ
ＵＥ  ユーザ機器
ＵＬ  アップリンク
ＵＭ  非確認モード
ＵＭＤ  非確認モードデータ
ＵＭＴＳ  ユニバーサルモバイル電気通信システム
ＵＴＲＡ  ＵＭＴＳ地上無線アクセス
ＵＴＲＡＮ  ＵＭＴＳ地上波無線アクセスネットワーク
ＭＢＳＦＮ  マルチキャストブロードキャスト単一周波数ネットワーク
ＭＣＥ  ＭＢＭＳ協調エンティティ
ＭＣＨ  マルチキャストチャネル
ＤＬ−ＳＣＨ  ダウンリンク共有チャネル
ＭＳＣＨ  ＭＢＭＳ制御チャネル
ＰＤＣＣＨ  物理ダウンリンク制御チャネル
ＰＤＳＣＨ  物理ダウンリンク共有チャネル
例示的な中継システム
[0045]  図３は、本開示のいくつかの態様が実施され得る例示的なワイヤレスシステム３００を示す。図示されるように、システム３００は、中継ノード３０６（中継局またはリレー（relay）としても知られる）を介してユーザ機器（ＵＥ）３０４と通信するドナー基地局（ＢＳ）３０２（ドナーアクセスポイントまたはドナー発展型ノードＢ（ＤｅＮＢ）としても知られる）を含む。中継ノード３０６は、中継基地局（中継ｅＮＢとしても知られる）を備えることができるが、ＵＥ（たとえば、携帯電話）は、図３に示されるように、他のＵＥの送信を中継するためのリレーとして機能することもできる。そのようなリレーは、中継ＵＥ、ＵＥリレー、レイヤ２（Ｌ２）ＵＥリレー、またはＬ２中継ＵＥとして知られ得る。
【００３６】
[0046]  中継ノード３０６は、バックホールリンク（backhaul link）３０８を介してドナーＢＳ３０２と通信し、アクセスリンク３１０を介してＵＥ３０４と通信することができる。言い換えれば、中継ノード３０６は、バックホールリンク３０８を介してドナーＢＳ３０２からダウンリンクメッセージを受信し、アクセスリンク３１０を介してこれらのメッセージをＵＥ３０４に中継することができる。同様に、中継ノード３０６は、アクセスリンク３１０を介してＵＥ３０４からアップリンクメッセージを受信し、バックホールリンク３０８を介してこれらのメッセージをドナーＢＳ３０２に中継することができる。このようにして、中継ノード３０６は、したがって、カバレージエリアを補完して、「カバレージホール」を満たすのを助けるために使用され得る。
【００３７】
アンライセンススペクトル中のＬＴＥ中継ＵＥ
[0047]  所与の無線アクセス技術（ＲＡＴ：radio access technology）は、そのＲＡＴ用のライセンススペクトルにおける動作を含むことができる。しかしながら、ＵＥリレーの使用は、アクセスリンク３１０を介した、ＵＥリレーとその関連する端末ＵＥとの間の通信用のアンライセンススペクトルにおける動作を可能にし得る。
【００３８】
[0048]  たとえば、図４は、ワイヤレス通信用の周波数スペクトル４００中の例示的なアンライセンスおよびライセンス周波数帯域を示す。たとえば、アンライセンススペクトル（unlicensed spectrum）は、約６００ＭＨｚにおけるテレビジョンホワイトスペース（ＴＶＷＳ：television white space）を含むことができる。本開示の態様は、アクセスリンク３１０においてアンライセンススペクトル（unlicensed spectrum）および公認の共有アクセス（ＡＳＡ：authorized shared access）スペクトルを利用することに関する。
【００３９】
[0049]  アクセスリンクにおいてアンライセンススペクトルを利用することは、たとえＵＥリレーがライセンススペクトルにおいてバックホールリンク３０８を介してｅＮＢと通信することがあっても、データスループットおよび／またはスペクトル効率を増大させることができる。このようにしてアンライセンススペクトルを利用することから、いくつかの問題点が生じる可能性がある。たとえば、１人のオペレータのＬＴＥ中継ＵＥおよび端末ＵＥは、異なるオペレータに関連するＷｉＦｉデバイスおよびＬＴＥデバイスなどの、同じスペクトルにおいて動作する非協調のデバイス（non-cooperating device）と干渉するか、またはそれらのデバイスによって干渉され得る。
【００４０】
[0050]  したがって、必要とされるものは、同じスペクトルにおいて動作する非協調のデバイスからの干渉を除去するか、または少なくとも低減させるための技法および装置である。
【００４１】
[0051]  本開示のいくつかの態様は、そのような非協調のデバイスからの干渉を回避するか、または少なくとも軽減するためのいくつかの技法を与える。これらの技法は、（１）（たとえば、他のデバイスの存在に基づいて、利用可能なアンライセンスチャネルの数など）ＬＴＥ中継ＵＥとＬＴＥ端末との間のアンライセンスアクセスリンクＬＴＥ複信を決定することと、（２）（たとえば、異なるオペレータに関連するＷｉＦｉデバイスなどの非ＬＴＥデバイスおよび他のＬＴＥデバイスによるチャネル占有率に基づいて）アクセスリンクチャネル使用を決定することと、（３）ワイヤレスおよび／または有線のバックホールリンク３０８を有することに基づいてＸ２ベースの干渉を管理することとを含むことができる。
【００４２】
[0052]  図５は、中継ＵＥを含む例示的なシステムのシナリオのテーブル５００である。５つのシナリオ（１、２、１Ｇ、３および４）が示され、以下でより詳細に説明される。これらのシナリオは、有線またはワイヤレスのバックホールリンク３０８と、同じまたは異なるオペレータに関連する（「ＭｙＬＴＥホットスポットデバイス」と呼ばれ得る）中継ＵＥとを含むことができる。アクセスデバイス（たとえば、端末ＵＥ）は、同じまたは異なるオペレータに関連する可能性もある。
【００４３】
シナリオ１
[0053]  図６は、同じオペレータ（オペレータＡ）に関連する２つのＬＴＥ中継ＵＥ６０２を備える例示的なシステムのシナリオ６００を示す。各中継ＵＥ６０２は、アンライセンススペクトルを利用してワイヤレスアクセスリンク６０４を介して１つまたは複数の端末ＵＥ６０６と通信することができる。中継ＵＥ６０２は、ＬＴＥ用のライセンススペクトルを使用してワイヤレスバックホールリンク（wireless backhaul link）６０８を介して（オペレータＡにも関連する）ｅＮＢ６１０と通信することができる。バックホールリンク６０８を介した通信は、時分割複信（ＴＤＤ：time-division duplexing）または周波数分割複信（ＦＤＤ：frequency-division duplexing）を使用することができる。
【００４４】
[0054]  ２つの中継ＵＥ６０２は、時間同期され得る。たとえば、中継ＵＥ６０２は、同じｅＮＢまたは複数の同期ｅＮＢからタイミングを引き出すことによって、それらのタイミングを同期させることができる。
【００４５】
[0055]  ２つの中継ＵＥ６０２が中継モードで動作するとき、干渉管理は、マクロセルによって協調され得る。また、中継ＵＥは、同じアクセスデバイス（たとえば、端末ＵＥ６０６）に対する協調ビームフォーミング（coordinated beamforming）または空間多重化（spatial multiplexing）などの多地点協調（ＣｏＭＰ：coordinated multipoint）技法を実行することができる。
【００４６】
[0056]  ２つの中継ＵＥ６０２がホットスポットモードで動作するとき、干渉管理は、ワイヤレスＸ２インターフェース（たとえば、バックホールリンク６０８）を介して遂行され得る。さらに、時分割多重化（ＴＤＭ）適応リソース区分は、ワイヤレスＸ２インターフェースを介してネゴシエートされる可能性もある。
【００４７】
[0057]  いくつかの態様では、異なるオペレータに関連するアクセスデバイス（たとえば、端末ＵＥ６０６）は、単一の中継ＵＥ６０２にリンクされ得る。アクセスリンク６０４を介した通信は、デフォルトではＴＤＤを使用することができるが、いくつかのＲＦシナリオでは、ＦＤＤ動作が使用される可能性もある。中継ＵＥ６０２とアクセスデバイスとの間で、いずれかの複信モード（duplexing mode）（ＴＤＤまたはＦＤＤ）の使用についてネゴシエートされ得る。
【００４８】
[0058]  いくつかの態様では、アクセスデバイスは、非サービング中継ＵＥ６０２から生まれるダウンリンク干渉を打ち消すことができる高度の受信機を有することができる。たとえば、１次同期信号（ＰＳＳ）、２次同期信号（ＳＳＳ）、物理ブロードキャストチャネル（ＰＢＣＨ）、および／または基準信号（ＲＳ）などの干渉ブロードキャスト信号が、公称の異種ネットワーク（ＨｅｔＮｅｔ）動作において打ち消され得る。より高度のＨｅｔＮｅｔ動作では、物理ダウンリンク共有チャネル（ＰＤＳＣＨ）、パケットデータ制御チャネル（ＰＤＣＣＨ）、物理ＨＡＲＱインジケータチャネル（ＰＨＩＣＨ）、および／または物理制御フォーマットインジケータチャネル（ＰＣＦＩＣＨ）は、干渉時に打ち消され得る。
【００４９】
シナリオ２
[0059]  図７は、ワイヤレスバックホールリンク６０８と、異なるオペレータ（オペレータＡおよびオペレータＢ）に関連する２つのＬＴＥ中継ＵＥ６０２とを備える例示的なシステムのシナリオ７００を示す。オペレータＡに関連する中継ＵＥ６０２は、オペレータＡに関連するｅＮＢ６１０と通信することができるが、オペレータＢに関連する中継ＵＥ６０２は、オペレータＢに関連するｅＮＢ６１０と通信することができる。バックホールリンク６０８を介した通信は、ＴＤＤまたはＦＤＤを使用することができる。
【００５０】
[0060]  タイミングに関しては、中継ＵＥ６０２は、バックホールリンク６０８を介して、その対応するｅＮＢ６１０から、その１次タイミングを引き出すことができる。アクセスリンク６０４では、特定の中継ＵＥ６０２は、他の中継ＵＥ（他のＭｙＬＴＥデバイス）によってダウンリンク通信用のアンライセンススペクトルをスキャン（たとえば、検知（sense））し、次いで、所与のアンライセンスチャネル中のアクセスリンクタイミングを、そのチャネル中の（他のオペレータに関連する）主なＭｙＬＴＥ干渉体のダウンリンクタイミングに同期させることができる。
【００５１】
[0061]  ２つの中継ＵＥ６０２がホットスポットモードで動作するとき、干渉管理は、周波数分割多重化（ＦＤＭ）を使用して遂行され得る。たとえば、中継ＵＥ６０２は、異なるオペレータに関連する非ＬＴＥ（たとえば、ＷｉＦｉ）デバイスおよびＬＴＥデバイスからの最小の干渉に基づいてアンライセンスアクセスチャネルを選択することができる。
【００５２】
[0062]  いくつかの態様では、異なるオペレータに関連するアクセスデバイス（たとえば、端末ＵＥ６０６）は、単一の中継ＵＥ６０２にリンクされ得る。アクセスリンク６０４を介した通信は、デフォルトではＴＤＤを使用することができるが、いくつかのＲＦシナリオでは、ＦＤＤ動作が使用される可能性もある。セットアップ中に、中継ＵＥ６０２とアクセスデバイスとの間で、いずれかの複信モード（ＴＤＤまはＦＤＤ）の使用についてネゴシエートされ得る。
【００５３】
[0063]  いくつかの態様では、アクセスデバイスは、非サービング中継ＵＥ６０２から生まれるダウンリンク干渉を打ち消すことができる高度の受信機を有することができる。たとえば、ＰＳＳ／ＳＳＳ、ＰＢＣＨ、および／またはＲＳなどのブロードキャスト信号への干渉が、公称のＨｅｔＮｅｔ動作において打ち消され得る。より高度のＨｅｔＮｅｔ動作では、ＰＤＳＣＨ、ＰＤＣＣＨ、ＰＨＩＣＨ、および／またはＰＣＦＩＣＨは、干渉時に打ち消され得る。非サービング中継ＵＥ６０２は、バックホールリンクにおいて異なるオペレータに関連する可能性があるが、これは、干渉除去動作に対して透明である。
【００５４】
シナリオ１Ｇ
[0064]  図８は、ワイヤレスバックホール６０８と、同じオペレータ（オペレータＡ）に関連する２つのＬＴＥ中継ＵＥ６０２と、異なるオペレータ（オペレータＥ）に関連する第３のＬＴＥ中継ＵＥ６０３とを備える例示的なシステムのシナリオ８００を示す。基本的に、このシナリオ８００は、図６および図７のシナリオ６００および７００を組み合わせる。オペレータＡに関連する２つの中継ＵＥ６０２は、オペレータＡに関連するｅＮＢ６１０と通信することができるが、オペレータＥに関連する第３の中継ＵＥ６０３は、オペレータＥに関連するｅＮＢと通信することができる。
【００５５】
[0065]  タイミングに関しては、中継ＵＥ６０２は、バックホールリンク６０８を介して、その対応するｅＮＢ６１０から、そのバックホールタイミングを引き出すことができる。オペレータＥに関連する中継ＵＥは、図７に関して上記で説明したように、そのタイミングのためにアクセスリンク６０４におけるスキャニング（scanning）／検知（sensing）に依存する可能性がある。
【００５６】
[0066]  図８では、中継モードは、同じオペレータに関連する、中継ＵＥ６０２と端末ＵＥ６０６との間の通信用に使用され得る。ホットスポットモードは、異なるオペレータに関連する、中継ＵＥ６０２、６０３と端末ＵＥ６０６との間の通信用に使用され得る。
【００５７】
シナリオ3
[0067]  図９は、有線バックホールリンク６０８と、同じオペレータ（オペレータＡ）に関連する２つのＬＴＥ中継ＵＥ６０２とを備える例示的なシステムのシナリオ９００を示す。有線バックホールリンクでは、中継ＵＥ６０２は、ホームルータ９０２を介してネットワーク９０４（たとえば、インターネット）と通信することができる。中継ＵＥ６０２は、同じｅＮＢ６１０または複数の同期ｅＮＢから、そのタイミングを引き出すことによって時間同期され得る。このシナリオ９００は、ホットスポットモードだけを使用することを含むことができ、干渉管理は、ＦＤＭを使用して遂行され得る。中継ＵＥ６０２の動作は、アクセスデバイスに対して透明（transparent）である可能性がある。
【００５８】
シナリオ4
[0068]  図１０は、有線バックホールリンク６０８と、異なるオペレータ（オペレータＡおよびオペレータＢ）に関連する２つのＬＴＥ中継ＵＥ６０２とを備える例示的なシステムのシナリオ１０００を示す。オペレータＡに関連する中継ＵＥ６０２は、オペレータＡに関連するｅＮＢ６１０と通信することができるが、オペレータＢに関連する中継ＵＥ６０２は、オペレータＢに関連するｅＮＢ６１０と通信することができる。有線バックホールリンクでは、中継ＵＥ６０２は、ホームルータ９０２を介してネットワーク９０４（たとえば、インターネット）と通信することができる。
【００５９】
[0069]  このシナリオ１０００は、図７および図９のシナリオ７００および９００と同様である。したがって、中継ＵＥ６０２は、シナリオ７００に関して説明した同期と同様に時間同期され得る。また、バックホール中の共通ノードの不在は、動作時にシナリオ９００および１０００を極めて類似させる。ホットスポットモードでは、干渉管理は、ＦＤＭを使用して遂行され得る。中継ＵＥ６０２の動作は、アクセスデバイスに対して透明である可能性がある。
【００６０】
[0070]  図１１は、データを中継するための例示的な動作１１００の流れ図である。動作１１００は、たとえば、第１のデバイスによって実行される可能性があり、第１のデバイスは、中継用デバイス（たとえば、リレーとして機能するＵＥ）である。１１０２では、第１のデバイスは、ライセンススペクトル中の第１のキャリア周波数を介して第１の装置からデータを受信することができる。いくつかの態様では、第１の装置は、ｅＮＢを備えることができる。１１０４では、第１のデバイスおよび第２のデバイスは、いくつかの態様では、同期され得る。たとえば、第２のデバイスは、中継用のデバイス（たとえば、リレーとして機能するＵＥ）である可能性もある。他の態様では、第２のデバイスは、ｅＮＢ、非中継ＵＥ、またはいくつかの他の通信ネットワークデバイスである可能性がある。１１０６では、第１のデバイスは、アンライセンススペクトル中の第２のキャリア周波数を介して、ダウンリンク方向の第２の装置に受信データを中継することができる。いくつかの態様では、第２の装置は、第１のデバイスによってサービスされている端末ＵＥである可能性がある。
【００６１】
[0071]  上記で説明したように、（リレー（relay）として機能することもできる）第１のデバイスおよび第２のデバイスが同期され得る。そのような場合、第１のデバイスは、この同期に基づいて、１１０６において第２の装置に受信データを中継することができる。（たとえば、上記のシナリオ１および３の場合のように）第１および第２のデバイスが同じオペレータに関連する場合、この同期は、第１および第２のデバイスが第１の装置に同期されるように、第１の装置からタイミングを引き出すことを含むことができる。（たとえば、上記のシナリオ２および４の場合のように）第１のデバイスが第１のオペレータに関連し、第２のデバイスが、第１のオペレータと異なる第２のオペレータに関連する場合、同期は、ダウンリンクタイミングを決定するために第２のデバイスによってダウンリンク送信用のアンライセンススペクトルをスキャンすることと、第２のデバイスのダウンリンクタイミングに従って第２の装置への送信のアクセスリンクタイミングを同期させることとを必要とする可能性がある。いくつかの態様では、第１および第２のデバイスは、（たとえば、上記のシナリオ３および４の場合のように）ワイヤレスアクセスポイント（ＡＰ）として機能することができ、各々は、ネットワークルータと接続され得る。
【００６２】
[0072]  いくつかの態様によれば、１１０６での中継は、第２のデバイスと協調され得る。第１のデバイスと第２のデバイスとの間の協調は、協調ビームフォーミングまたは空間多重化を含むことができる。
【００６３】
[0073]  いくつかの態様では、第１のデバイスの干渉管理は、第１の装置によって協調され得る。干渉管理は、第２のデバイスまたは別のデバイスのうちの少なくとも１つへの干渉を回避するために第１の装置からリソース区分情報（ＲＰＩ（resource partitioning information））を受信することを含むことができる。この干渉管理は、第１のデバイスと第２のデバイスとの間の同期の後に実行され得る。
【００６４】
[0074]  いくつかの態様では、第１のデバイスは、１１０６において、中継のために複信モードについて第２の装置とネゴシエートすることができる。ネゴシエートされた複信モードは、時分割複信（ＴＤＤ）または周波数分割複信（ＦＤＤ）を含むことができる。ネゴシエートでは、第１のデバイスは、アンライセンススペクトルにおいて利用可能ないくつかのチャネルのうちの少なくとも１つと、第１および第２の装置とは異なる装置の存在とを考慮（consider）することができる。この中継は、ネゴシエートされた複信モードを使用することを含むことができる。
【００６５】
[0075]  いくつかの態様では、第１のデバイスは、第１のデバイスによって使用される無線アクセス技術（ＲＡＴ）とは異なるＲＡＴを使用したデバイス、または第１のデバイスと同じＲＡＴを使用するが第１のデバイスとは異なるオペレータに関連するデバイスからの干渉に基づいて第２のキャリア周波数を決定することができる。
【００６６】
[0076]  いくつかの態様によれば、第１のデバイスは、アンライセンススペクトル中の第２のキャリア周波数を介して第２の装置から他のデータを受信することができる。第１のデバイスは、次いで、ライセンススペクトル中の第１のキャリア周波数を介して、アップリンク方向の第１の装置に他のデータを中継することができる。
【００６７】
[0077]  上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、対応する相当物のミーンズプラスファンクション構成要素を有し得る。
【００６８】
[0078]  たとえば、送信するための手段、中継するための手段、またはネゴシエートするための手段は、図2に示す、送信機（たとえば、送信機２２２）、および／または送信機システム２１０もしくは送信機（たとえば、送信機２５４）のアンテナ２２４、および／または受信機システム２５０のアンテナ２５２を備えることができる。受信するための手段、またはネゴシエートするための手段は、図2に示す、受信機（たとえば、受信機２５４）、および／または受信機システム２５０もしくは受信機（たとえば、受信機２２２）のアンテナ２５２、および／または送信機システム２１０のアンテナ２２４を備えることができる。処理するための手段、決定するための手段、同期するための手段、ネゴシエートするための手段、または選択するための手段は、図２に示す、受信機システム２５０のＲＸデータプロセッサ２６０、プロセッサ２７０、および／もしくはＴＸデータプロセッサ２３８、または、送信機システム２１０のＲＸデータプロセッサ２４２、プロセッサ２３０、および／もしくはＴＸデータプロセッサ２１４などの、少なくとも１つのプロセッサを含み得る処理システムを備えることができる。
【００６９】
[0079]  開示したプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００７０】
[0080]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７１】
[0081]  さらに、本明細書で開示した実施形態に関して説明した様々な例示的な論理ブロック、モジュール、回路、およびアルゴリズムステップは、電子ハードウェア、コンピュータソフトウェア、または両方の組合せとして実装できることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００７２】
[0082]  本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００７３】
[0083]  本明細書で開示する実施形態に関して説明する方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【００７４】
[0084]  開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【図１】
2015508605.tif 000003
【図２】
2015508605.tif 000004
【図３】
2015508605.tif 000005
【図４】
2015508605.tif 000006
【図５】
2015508605.tif 000007
【図６】
2015508605.tif 000008
【図７】
2015508605.tif 000009
【図８】
2015508605.tif 000010
【図９】
2015508605.tif 000011
【図１０】
2015508605.tif 000012
【図１１】
2015508605.tif 000013
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
中継用デバイスを備える第１のデバイスにおいて、ライセンススペクトル中の第１のキャリア周波数を介して第１の装置からデータを受信することと、
前記第１のデバイスおよび第２のデバイスを同期させることと、
前記同期に基づいて、アンライセンススペクトル中の第２のキャリア周波数を介して第２の装置に前記データを中継することと、ここにおいて前記第２のデバイスは、前記第1の装置および第２の装置とは異なる、
を備える、方法。
【請求項２】
前記第１のデバイスまたは前記第２のデバイスのうちの少なくとも１つは、リレーとして機能するユーザ機器（ＵＥ）を備える、請求項１に記載の方法。
【請求項３】
前記第１のデバイスにおいて、前記アンライセンススペクトル中の前記第２のキャリア周波数を介して前記第２の装置から他のデータを受信することと、
前記ライセンススペクトル中の前記第１のキャリア周波数を介して前記第１の装置に前記他のデータを中継することと
をさらに備える、請求項１に記載の方法。
【請求項４】
前記第１および第２のデバイスが同じオペレータに関連し、前記同期は、前記第１および第２のデバイスが前記第１の装置に同期されるように、前記第１の装置からタイミングを引き出すことを備える、請求項１に記載の方法。
【請求項５】
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させることと
を備える、請求項１に記載の方法。
【請求項６】
前記第１および第２のデバイスは、アクセスポイント（ＡＰ）として機能し、各々がルータと接続される、請求項１に記載の方法。
【請求項７】
前記中継は、前記第２のデバイスと協調される、請求項１に記載の方法。
【請求項８】
前記第１のデバイスと前記第２のデバイスとの間の前記協調は、協調ビームフォーミングまたは空間多重化のうちの少なくとも１つを備える、請求項７に記載の方法。
【請求項９】
前記中継のための複信モードについて前記第２の装置とネゴシエートすることをさらに備える方法であって、前記中継は、前記ネゴシエートされた複信モードを使用することを備える、請求項１に記載の方法。
【請求項１０】
前記ネゴシエートされた複信モードは、周波数分割複信（ＦＤＤ）を備える、請求項９に記載の方法。
【請求項１１】
前記ネゴシエートは、前記アンライセンススペクトルにおいて利用可能ないくつかのチャネルのうちの少なくとも１つ、または前記第１および第２の装置とは異なる装置の存在を考慮することを備える、請求項９に記載の方法。
【請求項１２】
前記第１のデバイスの干渉管理は、前記第１の装置によって協調される、請求項１に記載の方法。
【請求項１３】
前記干渉管理は、前記第２のデバイスまたは別のデバイスのうちの少なくとも１つへの干渉を回避するために前記第１の装置からリソース区分情報を受信することを備える、請求項１２に記載の方法。
【請求項１４】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定することをさらに備える、請求項１に記載の方法。
【請求項１５】
中継用デバイスである、ワイヤレス通信用の第１のデバイスであって、
ライセンススペクトル中の第１のキャリア周波数を介して第１の装置からデータを受信するように構成された受信機と、
前記第１のデバイスおよび第２のデバイスを同期させるように構成された処理システムと、
前記同期に基づいて、アンライセンススペクトル中の第２のキャリア周波数を介して第２の装置に前記データを中継するように構成された送信機と、ここにおいて前記第２のデバイスは、前記第１の装置および第２の装置とは異なる、
を備える、第１のデバイス。
【請求項１６】
前記第１のデバイスまたは前記第２のデバイスのうちの少なくとも１つは、リレーとして機能するユーザ機器（ＵＥ）を備える、請求項１５に記載の第１のデバイス。
【請求項１７】
前記受信機は、前記アンライセンススペクトル中の前記第２のキャリア周波数を介して前記第２の装置から他のデータを受信するように構成され、前記送信機は、前記ライセンススペクトル中の前記第１のキャリア周波数を介して前記第１の装置に前記他のデータを中継するように構成される、請求項１５に記載の第１のデバイス。
【請求項１８】
前記第１および第２のデバイスが同じオペレータに関連し、前記処理システムは、前記第１および第２のデバイスが前記第１の装置に同期されるように、前記第１の装置からタイミングを引き出すことによって前記第１および第２のデバイスを同期させるように構成される、請求項１５に記載の第１のデバイス。
【請求項１９】
前記第１のデバイスは第１のオペレータに関連し、前記第２のデバイスは、前記第１のオペレータとは異なる第２のオペレータに関連し、前記処理システムは、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させること
によって前記第１および第２のデバイスを同期させるように構成される、請求項１５に記載の第１のデバイス。
【請求項２０】
前記第１および第２のデバイスは、アクセスポイント（ＡＰ）として機能し、各々がルータと接続される、請求項１５に記載の第１のデバイス。
【請求項２１】
前記送信機は、前記第２のデバイスと協調して前記第２の装置に前記データを中継するように構成される、請求項１５に記載の第１のデバイス。
【請求項２２】
前記第１のデバイスと前記第２のデバイスとの間の前記協調は、前記第２の装置に対する協調ビームフォーミングまたは空間多重化のうちの少なくとも１つを備える、請求項２１に記載の第１のデバイス。
【請求項２３】
前記処理システムは、前記中継のための複信モードについて前記第２の装置とネゴシエートするようにさらに構成され、前記送信機は、前記ネゴシエートされた複信モードを使用して前記データを中継するように構成される、請求項１５に記載の第１のデバイス。
【請求項２４】
前記ネゴシエートされた複信モードは、周波数分割複信（ＦＤＤ）を備える、請求項２３に記載の第１のデバイス。
【請求項２５】
前記処理システムは、前記アンライセンススペクトルにおいて利用可能ないくつかのチャネルのうちの少なくとも１つ、または前記第１および第２の装置とは異なる装置の存在を考慮することによってネゴシエートするように構成される、請求項２３に記載の第１のデバイス。
【請求項２６】
前記第１のデバイスの干渉管理は、前記第１の装置によって協調される、請求項１５に記載の第１のデバイス。
【請求項２７】
前記受信機は、前記干渉管理のために、前記第２のデバイスまたは別のデバイスのうちの少なくとも１つへの干渉を回避するために前記第１の装置からリソース区分情報を受信するようにさらに構成される、請求項２６に記載の第１のデバイス。
【請求項２８】
前記処理システムは、前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するようにさらに構成される、請求項１５に記載の第１のデバイス。
【請求項２９】
中継用デバイスである、ワイヤレス通信用の第１のデバイスであって、
ライセンススペクトル中の第１のキャリア周波数を介して第１の装置からデータを受信するための手段と、
前記第１のデバイスおよび第２のデバイスを同期させるための手段と、
前記同期に基づいて、アンライセンススペクトル中の第２のキャリア周波数を介して第２の装置に前記データを中継するための手段と、ここにおいて前記第２のデバイスは、前記第1の装置および第２の装置とは異なる、
を備える、第１のデバイス。
【請求項３０】
前記第１のデバイスまたは前記第２のデバイスのうちの少なくとも１つは、リレーとして機能するユーザ機器（ＵＥ）を備える、請求項２９に記載の第１のデバイス。
【請求項３１】
前記受信するための手段は、前記アンライセンススペクトル中の前記第２のキャリア周波数を介して前記第２の装置から他のデータを受信するように構成され、前記中継するための手段は、前記ライセンススペクトル中の前記第１のキャリア周波数を介して前記第１の装置に前記他のデータを中継するように構成される、請求項２９に記載の第１のデバイス。
【請求項３２】
前記第１および第２のデバイスが同じオペレータに関連し、前記同期させるための手段は、前記第１および第２のデバイスが前記第１の装置に同期されるように、前記第１の装置からタイミングを引き出すように構成される、請求項２９に記載の第１のデバイス。
【請求項３３】
前記第１のデバイスは第１のオペレータに関連し、前記第２のデバイスは、前記第１のオペレータとは異なる第２のオペレータに関連し、前記同期させるための手段は、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させる
ように構成される、請求項２９に記載の第１のデバイス。
【請求項３４】
前記第１および第２のデバイスは、アクセスポイント（ＡＰ）として機能し、各々がルータと接続される、請求項２９に記載の第１のデバイス。
【請求項３５】
前記中継するための手段は、前記第２のデバイスと協調して前記第２の装置に前記データを中継するように構成される、請求項２９に記載の第１のデバイス。
【請求項３６】
前記第１のデバイスと前記第２のデバイスとの間の前記協調は、前記第２の装置に対する協調ビームフォーミングまたは空間多重化のうちの少なくとも１つを備える、請求項３５に記載の第１のデバイス。
【請求項３７】
前記中継のための複信モードについて前記第２の装置とネゴシエートするための手段をさらに備える第１のデバイスであって、前記中継するための手段は、前記ネゴシエートされた複信モードを使用するように構成される、請求項２９に記載の第１のデバイス。
【請求項３８】
前記ネゴシエートされた複信モードは、周波数分割複信（ＦＤＤ）を備える、請求項３７に記載の第１のデバイス。
【請求項３９】
前記ネゴシエートするための手段は、前記アンライセンススペクトルにおいて利用可能ないくつかのチャネルのうちの少なくとも１つ、または前記第１および第２の装置とは異なる装置の存在を考慮するように構成される、請求項３７に記載の第１のデバイス。
【請求項４０】
前記第１のデバイスの干渉管理は、前記第１の装置によって協調される、請求項２９に記載の第１のデバイス。
【請求項４１】
前記受信するための手段は、前記干渉管理のために、前記第２のデバイスまたは別のデバイスのうちの少なくとも１つへの干渉を回避するために前記第１の装置からリソース区分情報を受信するようにさらに構成される、請求項４０に記載の第１のデバイス。
【請求項４２】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するための手段をさらに備える、請求項２９に記載の第１のデバイス。
【請求項４３】
ワイヤレス通信のためのコンピュータプログラム製品であって、
中継用デバイスを備える第１のデバイスにおいて、ライセンススペクトル中の第１のキャリア周波数を介して第１の装置からデータを受信し、
前記第１のデバイスおよび第２のデバイスを同期させ、
前記同期に基づいて、アンライセンススペクトル中の第２のキャリア周波数を介して第２の装置に前記データを中継する、ここにおいて前記第２のデバイスは、前記第1の装置および第２の装置とは異なる、
ためのコードを備えるコンピュータ可読媒体
を備える、コンピュータプログラム製品。
【請求項４４】
前記第１のデバイスまたは前記第２のデバイスのうちの少なくとも１つは、リレーとして機能するユーザ機器（ＵＥ）を備える、請求項４３に記載のコンピュータプログラム製品。
【請求項４５】
前記第１のデバイスにおいて、前記アンライセンススペクトル中の前記第２のキャリア周波数を介して前記第２の装置から他のデータを受信し、
前記ライセンススペクトル中の前記第１のキャリア周波数を介して前記第１の装置に前記データを中継する
ためのコードをさらに備える、請求項４３に記載のコンピュータプログラム製品。
【請求項４６】
前記第１および第２のデバイスが同じオペレータに関連し、前記同期は、前記第１および第２のデバイスが前記第１の装置に同期されるように、前記第１の装置からタイミングを引き出すことを備える、請求項４３に記載のコンピュータプログラム製品。
【請求項４７】
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させること
を備える、請求項４３に記載のコンピュータプログラム製品。
【請求項４８】
前記第１および第２のデバイスは、アクセスポイント（ＡＰ）として機能し、各々がルータと接続される、請求項４３に記載のコンピュータプログラム製品。
【請求項４９】
前記中継は、前記第２のデバイスと協調される、請求項４３に記載のコンピュータプログラム製品。
【請求項５０】
前記第１のデバイスと前記第２のデバイスとの間の前記協調は、協調ビームフォーミングまたは空間多重化のうちの少なくとも１つを備える、請求項４９に記載のコンピュータプログラム製品。
【請求項５１】
前記中継のための複信モードについて前記第２の装置とネゴシエートするためのコードをさらに備えるコンピュータプログラム製品であって、前記中継は、前記ネゴシエートされた複信モードを使用することを備える、請求項４３に記載のコンピュータプログラム製品。
【請求項５２】
前記ネゴシエートされた複信モードは、周波数分割複信（ＦＤＤ）を備える、請求項５１に記載のコンピュータプログラム製品。
【請求項５３】
前記ネゴシエートは、前記アンライセンススペクトルにおいて利用可能ないくつかのチャネルのうちの少なくとも１つ、または前記第１および第２の装置とは異なる装置の存在を考慮することを備える、請求項５１に記載のコンピュータプログラム製品。
【請求項５４】
前記第１のデバイスの干渉管理は、前記第１の装置によって協調される、請求項４３に記載のコンピュータプログラム製品。
【請求項５５】
前記干渉管理のために、前記第２のデバイスまたは別のデバイスのうちの少なくとも１つへの干渉を回避するために前記第１の装置からリソース区分情報を受信するためのコードをさらに備える、請求項５４に記載のコンピュータプログラム製品。
【請求項５６】
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するためのコードをさらに備える、請求項４３に記載のコンピュータプログラム製品。
【手続補正２】
【補正対象書類名】明細書
【補正対象項目名】００７４
【補正方法】変更
【補正の内容】
【００７４】
[0084]  開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
以下に、本願出願の当初の特許請求の範囲に記載された発明を付記する。
［Ｃ１］
ワイヤレス通信のための方法であって、
中継用デバイスを備える第１のデバイスにおいて、ライセンススペクトル中の第１のキャリア周波数を介して第１の装置からデータを受信することと、
前記第１のデバイスおよび第２のデバイスを同期させることと、
前記同期に基づいて、アンライセンススペクトル中の第２のキャリア周波数を介して第２の装置に前記データを中継することと
を備える、方法。
［Ｃ２］
前記第１のデバイスは、リレーとして機能するユーザ機器（ＵＥ）を備える、Ｃ１に記載の方法。
［Ｃ３］
前記第１のデバイスにおいて、前記アンライセンススペクトル中の前記第２のキャリア周波数を介して前記第２の装置から他のデータを受信することと、
前記ライセンススペクトル中の前記第１のキャリア周波数を介して前記第１の装置に前記他のデータを中継することと
をさらに備える、Ｃ１に記載の方法。
［Ｃ４］
前記第１および第２のデバイスが同じオペレータに関連し、前記同期は、前記第１および第２のデバイスが前記第１の装置に同期されるように、前記第１の装置からタイミングを引き出すことを備える、Ｃ１に記載の方法。
［Ｃ５］
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させることと
を備える、Ｃ１に記載の方法。
［Ｃ６］
前記第１および第２のデバイスは、アクセスポイント（ＡＰ）として機能し、各々がルータと接続される、Ｃ１に記載の方法。
［Ｃ７］
前記中継は、前記第２のデバイスと協調される、Ｃ１に記載の方法。
［Ｃ８］
前記第１のデバイスと前記第２のデバイスとの間の前記協調は、協調ビームフォーミングまたは空間多重化のうちの少なくとも１つを備える、Ｃ７に記載の方法。
［Ｃ９］
前記中継のための複信モードについて前記第２の装置とネゴシエートすることをさらに備える方法であって、前記中継は、前記ネゴシエートされた複信モードを使用することを備える、Ｃ１に記載の方法。
［Ｃ１０］
前記ネゴシエートされた複信モードは、周波数分割複信（ＦＤＤ）を備える、Ｃ９に記載の方法。
［Ｃ１１］
前記ネゴシエートは、前記アンライセンススペクトルにおいて利用可能ないくつかのチャネルのうちの少なくとも１つ、または前記第１および第２の装置とは異なる装置の存在を考慮することを備える、Ｃ９に記載の方法。
［Ｃ１２］
前記第１のデバイスの干渉管理は、前記第１の装置によって協調される、Ｃ１に記載の方法。
［Ｃ１３］
前記干渉管理は、前記第２のデバイスまたは別のデバイスのうちの少なくとも１つへの干渉を回避するために前記第１の装置からリソース区分情報を受信することを備える、Ｃ１２に記載の方法。
［Ｃ１４］
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定することをさらに備える、Ｃ１に記載の方法。
［Ｃ１５］
中継用デバイスである、ワイヤレス通信用の第１のデバイスであって、
ライセンススペクトル中の第１のキャリア周波数を介して第１の装置からデータを受信するように構成された受信機と、
前記第１のデバイスおよび第２のデバイスを同期させるように構成された処理システムと、
前記同期に基づいて、アンライセンススペクトル中の第２のキャリア周波数を介して第２の装置に前記データを中継するように構成された送信機と
を備える、第１のデバイス。
［Ｃ１６］
前記第１のデバイスは、リレーとして機能するユーザ機器（ＵＥ）を備える、Ｃ１５に記載の第１のデバイス。
［Ｃ１７］
前記受信機は、前記アンライセンススペクトル中の前記第２のキャリア周波数を介して前記第２の装置から他のデータを受信するように構成され、前記送信機は、前記ライセンススペクトル中の前記第１のキャリア周波数を介して前記第１の装置に前記他のデータを中継するように構成される、Ｃ１５に記載の第１のデバイス。
［Ｃ１８］
前記第１および第２のデバイスが同じオペレータに関連し、前記処理システムは、前記第１および第２のデバイスが前記第１の装置に同期されるように、前記第１の装置からタイミングを引き出すことによって前記第１および第２のデバイスを同期させるように構成される、Ｃ１５に記載の第１のデバイス。
［Ｃ１９］
前記第１のデバイスは第１のオペレータに関連し、前記第２のデバイスは、前記第１のオペレータとは異なる第２のオペレータに関連し、前記処理システムは、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させること
によって前記第１および第２のデバイスを同期させるように構成される、Ｃ１５に記載の第１のデバイス。
［Ｃ２０］
前記第１および第２のデバイスは、アクセスポイント（ＡＰs）として機能し、各々がルータと接続される、Ｃ１５に記載の第１のデバイス。
［Ｃ２１］
前記送信機は、前記第２のデバイスと協調して前記第２の装置に前記データを中継するように構成される、Ｃ１５に記載の第１のデバイス。
［Ｃ２２］
前記第１のデバイスと前記第２のデバイスとの間の前記協調は、前記第２の装置に対する協調ビームフォーミングまたは空間多重化のうちの少なくとも１つを備える、Ｃ２１に記載の第１のデバイス。
［Ｃ２３］
前記処理システムは、前記中継のための複信モードについて前記第２の装置とネゴシエートするようにさらに構成され、前記送信機は、前記ネゴシエートされた複信モードを使用して前記データを中継するように構成される、Ｃ１５に記載の第１のデバイス。
［Ｃ２４］
前記ネゴシエートされた複信モードは、周波数分割複信（ＦＤＤ）を備える、Ｃ２３に記載の第１のデバイス。
［Ｃ２５］
前記処理システムは、前記アンライセンススペクトルにおいて利用可能ないくつかのチャネルのうちの少なくとも１つ、または前記第１および第２の装置とは異なる装置の存在を考慮することによってネゴシエートするように構成される、Ｃ２３に記載の第１のデバイス。
［Ｃ２６］
前記第１のデバイスの干渉管理は、前記第１の装置によって協調される、Ｃ１５に記載の第１のデバイス。
［Ｃ２７］
前記受信機は、前記干渉管理のために、前記第２のデバイスまたは別のデバイスのうちの少なくとも１つへの干渉を回避するために前記第１の装置からリソース区分情報を受信するようにさらに構成される、Ｃ２６に記載の第１のデバイス。
［Ｃ２８］
前記処理システムは、前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するようにさらに構成される、Ｃ１５に記載の第１のデバイス。
［Ｃ２９］
中継用デバイスである、ワイヤレス通信用の第１のデバイスであって、
ライセンススペクトル中の第１のキャリア周波数を介して第１の装置からデータを受信するための手段と、
前記第１のデバイスおよび第２のデバイスを同期させるための手段と、
前記同期に基づいて、アンライセンススペクトル中の第２のキャリア周波数を介して第２の装置に前記データを中継するための手段と
を備える、第１のデバイス。
［Ｃ３０］
前記第１のデバイスは、リレーとして機能するユーザ機器（ＵＥ）を備える、Ｃ２９に記載の第１のデバイス。
［Ｃ３１］
前記受信するための手段は、前記アンライセンススペクトル中の前記第２のキャリア周波数を介して前記第２の装置から他のデータを受信するように構成され、前記中継するための手段は、前記ライセンススペクトル中の前記第１のキャリア周波数を介して前記第１の装置に前記他のデータを中継するように構成される、Ｃ２９に記載の第１のデバイス。
［Ｃ３２］
前記第１および第２のデバイスが同じオペレータに関連し、前記同期させるための手段は、前記第１および第２のデバイスが前記第１の装置に同期されるように、前記第１の装置からタイミングを引き出すように構成される、Ｃ２９に記載の第１のデバイス。
［Ｃ３３］
前記第１のデバイスは第１のオペレータに関連し、前記第２のデバイスは、前記第１のオペレータとは異なる第２のオペレータに関連し、前記同期させるための手段は、
ダウンリンクタイミングを決定するために前記第２のデバイスによってダウンリンク送信用の前記アンライセンススペクトルをスキャンし、
前記第２のデバイスの前記ダウンリンクタイミングに従って、送信のアクセスリンクタイミングを前記第２の装置に同期させる
ように構成される、Ｃ２９に記載の第１のデバイス。
［Ｃ３４］
前記第１および第２のデバイスは、アクセスポイント（ＡＰ）として機能し、各々がルータと接続される、Ｃ２９に記載の第１のデバイス。
［Ｃ３５］
前記中継するための手段は、前記第２のデバイスと協調して前記第２の装置に前記データを中継するように構成される、Ｃ２９に記載の第１のデバイス。
［Ｃ３６］
前記第１のデバイスと前記第２のデバイスとの間の前記協調は、前記第２の装置に対する協調ビームフォーミングまたは空間多重化のうちの少なくとも１つを備える、Ｃ３５に記載の第１のデバイス。
［Ｃ３７］
前記中継のための複信モードについて前記第２の装置とネゴシエートするための手段をさらに備える第１のデバイスであって、前記中継するための手段は、前記ネゴシエートされた複信モードを使用するように構成される、Ｃ２９に記載の第１のデバイス。
［Ｃ３８］
前記ネゴシエートされた複信モードは、周波数分割複信（ＦＤＤ）を備える、Ｃ３７に記載の第１のデバイス。
［Ｃ３９］
前記ネゴシエートするための手段は、前記アンライセンススペクトルにおいて利用可能ないくつかのチャネルのうちの少なくとも１つ、または前記第１および第２の装置とは異なる装置の存在を考慮するように構成される、Ｃ３７に記載の第１のデバイス。
［Ｃ４０］
前記第１のデバイスの干渉管理は、前記第１の装置によって協調される、Ｃ29に記載の第１のデバイス。
［Ｃ４１］
前記受信するための手段は、前記干渉管理のために、前記第２のデバイスまたは別のデバイスのうちの少なくとも１つへの干渉を回避するために前記第１の装置からリソース区分情報を受信するようにさらに構成される、Ｃ４０に記載の第１のデバイス。
［Ｃ４２］
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するための手段をさらに備える、Ｃ２９に記載の第１のデバイス。
［Ｃ４３］
ワイヤレス通信のためのコンピュータプログラム製品であって、
中継用デバイスを備える第１のデバイスにおいて、ライセンススペクトル中の第１のキャリア周波数を介して第１の装置からデータを受信し、
前記第１のデバイスおよび第２のデバイスを同期させ、
前記同期に基づいて、アンライセンススペクトル中の第２のキャリア周波数を介して第２の装置に前記データを中継する
ためのコードを備えるコンピュータ可読媒体
を備える、コンピュータプログラム製品。
［Ｃ４４］
前記第１のデバイスは、リレーとして機能するユーザ機器（ＵＥ）を備える、Ｃ４３に記載のコンピュータプログラム製品。
［Ｃ４５］
前記第１のデバイスにおいて、前記アンライセンススペクトル中の前記第２のキャリア周波数を介して前記第２の装置から他のデータを受信し、
前記ライセンススペクトル中の前記第１のキャリア周波数を介して前記第１の装置に前記データを中継する
ためのコードをさらに備える、Ｃ４３に記載のコンピュータプログラム製品。
［Ｃ４６］
前記第１および第２のデバイスが同じオペレータに関連し、前記同期は、前記第１および第２のデバイスが前記第１の装置に同期されるように、前記第１の装置からタイミングを引き出すことを備える、Ｃ４３に記載のコンピュータプログラム製品。
［Ｃ４７］
前記第１のデバイスは第１のオペレータに関連し、前記第２のデバイスは、前記第１のオペレータとは異なる第２のオペレータに関連し、前記同期は、
ダウンリンクタイミングを決定するために前記第２のデバイスによってダウンリンク送信用の前記アンライセンススペクトルをスキャンすることと、
前記第２のデバイスの前記ダウンリンクタイミングに従って、送信のアクセスリンクタイミングを前記第２の装置に同期させること
を備える、Ｃ４３に記載のコンピュータプログラム製品。
［Ｃ４８］
前記第１および第２のデバイスは、アクセスポイント（ＡＰ）として機能し、各々がルータと接続される、Ｃ４３に記載のコンピュータプログラム製品。
［Ｃ４９］
前記中継は、前記第２のデバイスと協調される、Ｃ４３に記載のコンピュータプログラム製品。
［Ｃ５０］
前記第１のデバイスと前記第２のデバイスとの間の前記協調は、協調ビームフォーミングまたは空間多重化のうちの少なくとも１つを備える、Ｃ４９に記載のコンピュータプログラム製品。
［Ｃ５１］
前記中継のための複信モードについて前記第２の装置とネゴシエートするためのコードをさらに備えるコンピュータプログラム製品であって、前記中継は、前記ネゴシエートされた複信モードを使用することを備える、Ｃ４３に記載のコンピュータプログラム製品。
［Ｃ５２］
前記ネゴシエートされた複信モードは、周波数分割複信（ＦＤＤ）を備える、Ｃ５１に記載のコンピュータプログラム製品。
［Ｃ５３］
前記ネゴシエートは、前記アンライセンススペクトルにおいて利用可能ないくつかのチャネルのうちの少なくとも１つ、または前記第１および第２の装置とは異なる装置の存在を考慮することを備える、Ｃ５１に記載のコンピュータプログラム製品。
［Ｃ５４］
前記第１のデバイスの干渉管理は、前記第１の装置によって協調される、Ｃ４３に記載のコンピュータプログラム製品。
［Ｃ５５］
前記干渉管理のために、前記第２のデバイスまたは別のデバイスのうちの少なくとも１つへの干渉を回避するために前記第１の装置からリソース区分情報を受信するためのコードをさらに備える、Ｃ５４に記載のコンピュータプログラム製品。
［Ｃ５６］
前記第１のデバイスによって使用される無線アクセス技術（ＲＡＴ）とは異なるＲＡＴを使用したデバイスからの、または、前記第１のデバイスと同じＲＡＴを使用するが前記第１のデバイスとは異なるオペレータに関連するデバイスからの干渉に基づいて前記第２のキャリア周波数を決定するためのコードをさらに備える、Ｃ４３に記載のコンピュータプログラム製品。
【国際調査報告】
2015508605.tif 000014
2015508605.tif 000015